(57)【要約】【課題】  デジタル放送テレビにおいて、付加情報として放送されるアンケートデータを画像形成装置が紙に印刷して、視聴者が紙に印刷されたアンケート用紙に記入し、該アンケート結果を画像形成装置が読み取って結果を集計所に送信するアンケート方式を効率よく迅速に行うこと。【解決手段】  本発明の画像形成装置は、デジタル放送からのアンケートデータをＸＭＬ形式で受信し、放送局毎のアンケートフォームデータと合成してアンケート記入用紙を印刷し、利用者が記入したアンケート結果を元のＸＭＬアンケートデータに付加して結果データとして生成し、集計所に送信することによってアンケート集計の手数を削減し、結果集計の時間を短縮した。【選択図】図１
2008227882.tif 000002
【特許請求の範囲】
【請求項１】
デジタル放送からの質問内容を記載したアンケートデータを受信するアンケートデータ受信部と、
前記アンケートデータと印刷レイアウトを記載したアンケートフォームデータとを合成してアンケート記入データを生成するアンケート作成部と、
前記アンケート記入データを出力する出力部と、
前記アンケート記入データをスキャンする読取部と、
前記アンケート記入データの読み取りデータより前記印刷レイアウトを基準として回答結果を抽出する回答抽出部と、
前記回答結果を送信するアンケートデータ送信部と、を有する
ことを特徴とする画像形成装置。
【請求項２】
請求項１記載の画像形成装置であって、
前記アンケートデータは、テキストデータであり、
前記アンケート作成部は、前記テキストデータのアンケートデータをアンケートフォームデータと合成してアンケート記入データを生成する
ことを特徴とする画像形成装置。
【請求項３】
請求項２記載の画像形成装置であって、
前記テキストデータのアンケートデータは、ＸＭＬ形式で記載されており、
前記回答抽出部は、前記回答結果を前記ＸＭＬ形式のアンケートデータに結果データを付加した形で生成する
ことを特徴とする画像形成装置。
【請求項４】
請求項１から３記載のいずれかの画像形成装置と、
デジタル放送からの付加情報を受信し、付加情報からアンケートの質問内容を記載したアンケートデータを抽出するアンケートデータ抽出手段と、
前記アンケートデータを前記画像形成装置に送信する通信手段と、を有するテレビジョン受信機と、を有する
ことを特徴とするアンケート収集システム。
【請求項５】
デジタル放送からの質問内容を記載したアンケートデータを受信するアンケートデータ受信機能と、
前記アンケートデータと印刷レイアウトを記載したアンケートフォームデータとを合成してアンケート記入データを生成するアンケート作成機能と、
前記アンケート記入データの読み取りデータより回答結果を抽出する回答抽出機能と、
前記回答結果を送信するアンケートデータ送信機能と、をコンピュータに実現させる
ことを特徴とするアンケート収集プログラム
【発明の詳細な説明】
【技術分野】
【０００１】
デジタル放送で送信された付加情報中に含まれるアンケートデータを画像形成装置において印刷して、ユーザにアンケート用紙に回答を記述させた後、画像形成装置で同アンケートを読み取り、集計所に送信する技術に関するものである。
【背景技術】
【０００２】
デジタル放送が開始され、画像情報をデジタルで送信するだけに限らず、付加情報を送信することが可能となった。これら画像情報及び付加情報はＴＶ受信機で受信され、ＴＶ受信機に接続されたプリンタやＭＦＰ（Multi Functional Peripherals；複合機）は、これらの付加情報を印刷することができる。
【０００３】
この付加情報の印刷に関して以下の特許が出願されている。
【０００４】
デジタル放送によって提供された情報を印刷するとともに、印刷された情報に基づいて手書き等によって作成した情報を情報提供者に対して返信することができるようにする方法があり、この方法によりデジタル放送によって送信されたアンケートデータを印刷して、利用者がアンケートを書き込んだあと読取部で読み取ってその結果情報をサーバに送信する方法がある（特許文献１参照）。
【０００５】
しかし、この方法では、上記のアンケートデータは、画像データとして送信され、データ量が多くなる問題や、あらかじめ定まったフォームとアンケートデータを合成することができない問題などがあった。
【０００６】
【特許文献１】特開２００４−２８７２０６号公報
【発明の開示】
【発明が解決しようとする課題】
【０００７】
解決しようとする問題点は、デジタル放送において放送局からのアンケートを行う際の画像形成装置にてアンケートデータを印刷して回答を記入して画像形成装置で読み取ってアンケートを集計する方法において、アンケートデータを画像データとして受信するためにデータ量が多くなる問題や、アンケートデータをあらかじめ定めてあるアンケートフォームと合成することができなかった点である。
【課題を解決するための手段】
【０００８】
本発明の画像形成装置は、デジタル放送からの質問内容を記載したアンケートデータを受信するアンケートデータ受信部と、前記アンケートデータと印刷レイアウトを記載したアンケートフォームデータとを合成してアンケート記入データを生成するアンケート作成部と、前記アンケート記入データを出力する出力部と、前記アンケート記入データをスキャンする読取部と、前記アンケート記入データの読み取りデータより前記印刷レイアウトを基準として回答結果を抽出する回答抽出部と、前記回答結果を送信するアンケートデータ送信部とを有することを最も主要な特徴とする。
【０００９】
また、本発明の画像形成装置は、前記アンケートデータがＸＭＬ形式で記載されており、前記回答抽出部は、前記回答結果を前記ＸＭＬ形式のアンケートデータに結果データを付加した形で生成することを主要な特徴とする。
【００１０】
本発明のアンケート収集システムは、前記画像形成装置とデジタル放送からの付加情報を受信し、付加情報からアンケートの質問内容を記載したアンケートデータを抽出するアンケートデータ抽出手段と前記アンケートデータを前記画像形成装置に送信する通信手段とを有するテレビジョン受信機とを有することを最も主要な特徴とする。
【００１１】
本発明のアンケート収集プログラムは、デジタル放送からの質問内容を記載したアンケートデータを受信するアンケートデータ受信機能と、前記アンケートデータと印刷レイアウトを記載したアンケートフォームデータとを合成してアンケート記入データを生成するアンケート作成機能と、前記アンケート記入データの読み取りデータより回答結果を抽出する回答抽出機能と、前記回答結果を送信するアンケートデータ送信機能と、をコンピュータに実現させることを最も主要な特徴とする。
【発明の効果】
【００１２】
本発明の画像形成装置は、デジタル放送からの質問内容を記載したアンケートデータを受信するアンケートデータ受信部と、前記アンケートデータと印刷レイアウトを記載したアンケートフォームデータとを合成してアンケート記入データを生成するアンケート作成部と、前記アンケート記入データを出力する出力部と、前記アンケート記入データをスキャンする読取部と、前記アンケート記入データの読み取りデータより前記印刷レイアウトを基準として回答結果を抽出する回答抽出部と、前記回答結果を送信するアンケートデータ送信部とを有することを最も主要な特徴とするため、アンケートデータをあらかじめ定めてあるアンケートフォームと合成することが可能となった。
【００１３】
また、本発明の画像形成装置は、前記アンケートデータがＸＭＬ形式で記載されており、前記回答抽出部は、前記回答結果を前記ＸＭＬ形式のアンケートデータに結果データを付加した形で生成することを特徴とするため、アンケートデータのデータ量を画像データよりも少なくすることが可能となり、またアンケートデータの集計後の処理が簡単化された。
【００１４】
本発明のアンケート収集システムは、前記画像形成装置とデジタル放送からの付加情報を受信し、付加情報からアンケートの質問内容を記載したアンケートデータを抽出するアンケートデータ抽出手段と前記アンケートデータを前記画像形成装置に送信する通信手段とを有するテレビジョン受信機とを有することを最も主要な特徴とするため、アンケートデータをあらかじめ定めてあるアンケートフォームと合成することが可能となった。
【００１５】
本発明のアンケート収集プログラムは、デジタル放送からのアンケートデータを受信するアンケートデータ受信機能と前記アンケートデータを、アンケートフォームデータと合成して、アンケート記入データを生成するアンケート作成機能と前記アンケート記入データの読み取りデータより回答結果を抽出する回答抽出機能と前記回答結果を送信するアンケートデータ送信機能とをコンピュータに実現させることを最も主要な特徴とするため、アンケートデータをあらかじめ定めてあるアンケートフォームと合成することが可能となった。
【発明を実施するための最良の形態】
【００１６】
デジタル放送からのアンケートデータを印刷する際に、画像データとして受信するために情報量が多い問題点や、アンケートデータとして印刷する際に他のフォーマットと合成して加工するなどがしにくい問題点を、アンケートデータをＸＭＬ等のテキストデータとして受信して、アンケートフォームと合成して生成し、集計結果を前記ＸＭＬのアンケートデータに付加することにより問題を解決した。
【実施例１】
【００１７】
［構成］
図１は、本発明の実施例に係わる画像形成装置及びアンケート収集システムの構成図である。
【００１８】
放送局３０１は、放送局のアンテナ３１１よりデジタル放送を送信すると共に、アンケートデータを送信する。
【００１９】
テレビジョン受信機２０１（以下ＴＶ受信機）は、受信アンテナ２１１によりデジタル放送を受信すると共に付加情報を受信する。ＴＶ受信機は、該付加情報からアンケートの質問内容を記載したアンケートデータを抽出するアンケートデータ抽出手段と、抽出したアンケートデータを画像形成装置に送信する通信手段とを有する。
【００２０】
画像形成装置１０１は、ＴＶ受信機とＵＳＢインターフェースケーブル１５５により接続されており、ＴＶ受信機が受信した前記アンケートデータを同インターフェースを通して画像形成装置に送信し、画像形成装置が印刷レイアウトを記載してあるアンケートフォームデータと合成してアンケート記入データを生成して印刷する。印刷されたアンケート記入用紙は、ユーザによって記入された後、画像形成装置によって読み取られ、その結果をネットワークケーブル１５３を通して、アンケート集計所（例えば放送局３０１）に送信する。
【００２１】
図２は、画像形成装置の機能ブロック図である。画像形成装置には、大きく分けて、各機能をコンピュータに実行させるためのプログラムであるアプリケーション１１０、機能を実行するシステム１２０、情報を表示するパネル１３０、プログラムやデータを一時的に記憶する一時記憶装置１４０、プログラムやデータを記憶する記憶装置１４５がある。
【００２２】
上記の各機能部が包含する機能部に関して以下に説明する。
【００２３】
アンケート送受信部１１１（アンケートデータ受信部、アンケートデータ送信部）は、ＴＶ受信機からアンケートデータを受信し、記入後のアンケート結果を集計所（例えば放送局）に送信する。
【００２４】
アプリ制御部１１３は、アプリケーション１１０の各部のアプリケーションプログラムの制御を行う。
【００２５】
回答抽出部１１５は、記入されたアンケートをスキャン部１２１で読み取った画像データを基にアンケートの回答を抽出する。
【００２６】
アンケートデータ保持部１１７は、アンケート記入前後のアンケートに関する各データを保持する。
【００２７】
アンケート作成部１１９は、アンケート送受信部が受信したアンケートデータを記憶装置に保持されているアンケートフォーム１５０（アンケートフォームデータ）と合成して、アンケート記入データを作成する。
【００２８】
システム１２０は、画像を読み取るスキャン部１２１（読取部）と印刷を行うプリント部１２３（出力部）を有する。通常の画像形成装置が有する紙送り機構部など、本発明の本質に関係の無い他の機能部は省略した。
【００２９】
パネル１３０は、画面を表示する画面表示部を有する。
【００３０】
記憶装置１４５には、アンケートデータ（図３；後述）と合成して、印刷するためのアンケート記入データ（図４；後述）を生成するための基となるアンケートフォーム１５０（アンケートフォームデータ）を記憶している。アンケートフォーム１５０は、例えば放送局ごとに異なるフォーマットが用意され、該放送局のロゴや、アンケート用紙全体の囲みデザインなど、データ量が多くなる画像データを中心として、最終的に印刷される形のアンケート記入データを生成するためのテンプレートデータである。
【００３１】
［アンケートデータ、アンケート記入データ］
図３は、アンケートデータの例である。アンケートデータは、ＸＭＬ形式で書かれており、質問内容が＜ｑ１＞△△△＜／ｑ１＞に囲まれた中に記載（△部）してある。あらかじめ、回答記載項目が＜a１＞＜／a１＞のように、囲まれた中を空白にして記載してある。アンケート作成部は、このＸＭＬ形式のアンケートデータと例えば放送会社ごとに用意されている印刷レイアウトを記載したアンケートフォーム１５０（放送局のロゴの画像データなどが含まれている定型フォーム）と合成してアンケート記入データを作成する。
【００３２】
図４は、そのアンケート記入データの例である。アンケートの回答欄には、利用者による回答結果が記入されている。（図４の回答部分のレ点部）
この回答が記載されたアンケート記入データをスキャン部１２１で読み取り、読み取ったデータを回答抽出部１１５がアンケートフォームの印刷レイアウトを基準にしてレ点の場所を解析して回答を抽出する。
【００３３】
抽出された回答は、図５に示すように再度ＸＭＬ形式データ中に挿入する。図５には、元のＸＭＬデータ（図３）では、囲み内容が空白となっていた＜a１＞＜／a１＞部分に回答が挿入されているのが示されている。
【００３４】
上記の回答結果のデータ（図５）は、アンケート送受信部１１１により集計所に送信される。
【００３５】
［フローチャート］
図４のフローチャートを用いて動作の流れについて説明する。
【００３６】
Ｓ１１：放送局がアンケートデータを放送する。
【００３７】
Ｓ１３：ＴＶ受信機がアンケートデータを受信し、画像形成装置に送信する。
【００３８】
Ｓ１５：画像形成装置がアンケートデータをアンケートフォームと合成して印刷する。
【００３９】
Ｓ１７：視聴者がアンケートに記入する。
【００４０】
Ｓ１９：画像形成装置でアンケートをスキャンする。
【００４１】
Ｓ２１：画像形成装置がアンケート画像を解析して結果を抽出する。
【００４２】
Ｓ２３：画像形成装置がアンケート結果を集計先に送信する。
【００４３】
［実施例の効果］
本発明実施例の画像形成装置により、以下のことが可能となった。
【００４４】
元のアンケートデータをＸＭＬ形式とすることにより、データの加工等がしやすくなり、様々な形式のアンケートフォームデータに合わせて、印刷記入データを出力することが可能となった。
【００４５】
利用者が記入後のアンケートデータを画像形成装置で読み取り、その結果を元のＸＭＬデータに回答データとして付加する方法により、集計データのその後の扱いが楽になった。
【００４６】
集計データは、ネットワークを通じて前記ＸＭＬの形で集計され、画像を読み取った以降の処理を人手を介さず（人間が回答を読み取り集計するなどの手数が不要）に集計できるため、放送番組へのアンケート結果の反映までの時間が短縮された。
【図面の簡単な説明】
【００４７】
【図１】本発明実施例の画像形成装置及びアンケート収集システムの構成図である（実施例１）。
【図２】本発明実施例の画像形成装置の機能ブロック図である（実施例１）。
【図３】アンケートデータのＸＭＬ形式の例である（実施例１）。
【図４】アンケート記入データの印刷出力したものに回答を記載した例である（実施例１）。
【図５】アンケートデータのＸＭＬ形式に回答データを付加した例である（実施例１）。
【図６】本発明実施例の画像形成装置及びアンケート収集システムの動作のフローチャートである（実施例１）。
【符号の説明】
【００４８】
１０１  画像形成装置
１１０  アプリケーション
１１１  アンケート送受信部（アンケートデータ受信部、アンケートデータ送信部）
１１３  アプリ制御部
１１５  回答抽出部
１１７  アンケートデータ保持部
１１９  アンケート作成部
１２０  システム
１２１  スキャン部（読取部）
１２３  プリント部（出力部）
１３０  パネル
１３１  画面表示部
１４０  一時記憶装置
１４５  記憶装置
１５０  アンケートフォーム（アンケートフォームデータ）
１５３  ネットワークケーブル
１５５  ＵＳＢケーブル
２０１  テレビジョン受信機
２１１  テレビジョン受信アンテナ
２１３  ネットワークケーブル
３０１  テレビジョン放送局
３１１  テレビジョン放送アンテナ
３１３  ネットワーク接続
【図１】
2008227882.tif 000003
【図２】
2008227882.tif 000004
【図３】
2008227882.tif 000005
【図４】
2008227882.tif 000006
【図５】
2008227882.tif 000007
【図６】
2008227882.tif 000008